(57)【要約】【課題】電子レンジで加熱するパウチを入れた収納箱であって、電子レンジで加熱した時に、内容物が飛び散らず、安全に加熱調理が可能で、かつ、加熱によって、確実に収納箱の開口部が自動的に開封することが出来る紙箱を提供する。【解決手段】電子レンジによって加熱調理可能で、一定以上に加熱されると内部圧力が上昇して付属する蒸気抜き部（４１）から蒸気が排出可能なレンジ用パウチ（４）を内部に収納し、大きな面積を有する上面板（１１）と底面板（１２）と、小さな面積の４側面板（１３）とからなる直方体形状を有する紙箱であって、紙箱の３側面に渡って繋がった開口脆弱線（２１）を設けたことを特徴とするレンジ用パウチ収納箱（１）。【選択図】図１
2016130133.tif 000002
【特許請求の範囲】
【請求項１】
電子レンジによって加熱調理可能で、一定以上に加熱されると内部圧力が上昇して付属する蒸気抜き部から蒸気が排出可能なレンジ用パウチを内部に収納し、大きな面積を有する上面板と底面板と、小さな面積の４側面板とからなる直方体形状を有する紙箱であって、
紙箱の３側面に渡って繋がった開口脆弱線を設けたことを特徴とするレンジ用パウチ収納箱。
【請求項２】
前記開口脆弱線の高さ位置は、側面板高さの略中央であることを特徴とする請求項１に記載のレンジ用パウチ収納箱。
【請求項３】
前記開口脆弱線が開始する端部を有する向かい合う側面板の開口脆弱線の長さは、略同じ長さで、かつ、側面長さの４０から８０パーセントの長さに設けたことを特徴とする請求項１又は２に記載のレンジ用パウチ収納箱。
【請求項４】
前記開口脆弱線の端部から、上面板、あるいは底面板に向かって、傾斜した罫線を設けたことを特徴とする請求項１〜３のいずれかに記載のレンジ用パウチ収納箱。
【請求項５】
前記開口脆弱線が、ミシン目状に飛び飛びに切断され、手で容易に破断可能な破線状の切断線であることを特徴とする請求項１〜４のいずれかに記載のレンジ用パウチ収納箱。
【請求項６】
レンジ用パウチ収納箱底板面を傾斜して保持できる枕部を有することを特徴とする請求項１〜５のいずれかに記載のレンジ用パウチ収納箱。
【発明の詳細な説明】
【技術分野】
【０００１】
本発明は、レンジ用パウチを紙箱に入れたまま、電子レンジで高周波加熱により調理可能なレンジ用パウチ収納箱に関する。
【背景技術】
【０００２】
調理済みレトルトカレーのように、加熱するだけで賞味することができる食品類は、簡単に食事をとる事ができる為、近年、独身者のみならず、老齢者や、料理に時間をかけられない人々にとって、簡便に食事を取ることができる手段になっている。
このような食品は、カレー、シチュー、酢豚、ミートボール煮、八宝菜など、内部に水分が入っていて、水分が高周波でエネルギー準位をあげる励起現象を起こし、振動や回転をすることによって、周囲の他の成分もそのエネルギーが伝わることで、加熱調理される。加熱された水の一部は、蒸気となって膨張し、包装容器であるパウチを内部から押し広げる力となり、内部圧力が上昇し、丸く膨んでくる。
もし、そのまま、パウチ内部の圧力が上昇し、内部の水分が沸騰するようなことになると、パウチは爆発し、高温になった内容物が飛び散り、火傷を負うおそれがある。
【０００３】
そこで、このような事が起きないよう、パウチには蒸気抜き機能を設けている。しかし、もし、蒸気抜き機能部分がパウチ側部にあり、高温になった内容物である液体が蒸気抜き機能部分に接している場合、高温の内容物がパウチから飛び散るおそれがあった。
さらに、加熱が終了し、取り出す時に、パウチが高温になっているので、火傷を負う恐れもあった。
【０００４】
このようなことが起きないように、パウチを紙箱に入れてそのまま電子レンジで加熱できるようにすればより安全であり、電子レンジ内へ置く場合にもはっきり表記し易いなどのメリットもある。
特に、紙箱の断熱性により取り出す時に、火傷を負い難いメリットもある。
【０００５】
このような電子レンジによるレトルト食品の紙箱に入れたまま行う加熱について、例えば、特許文献１では、電子レンジ用包装箱の天面に帯状の開封用ジッパーが設けられており、ジッパーから開封し、箱の上部側を裏面側に折り曲げることで枕にし、加熱時に内容物が蒸気抜き部に接しないようにしている。
しかし、消費者がこのような煩雑な作業を行うのは煩わしい。
【０００６】
また、特許文献２では、電子レンジで加熱を行った時に天面に設けた開封部分が自動で開封する自動開封機能付き電子レンジ用箱入り包装袋が提案されている。
【０００７】
この電子レンジ用箱入り包装袋は、単純に箱の向きを確認して電子レンジに入れ、加熱できるので、手間は無く調理可能である。
さらに、蒸気抜き部が開封部に向かって突出するようになっているので、加熱すると蒸気抜き部が自然と持ち上がり、蒸気抜き部に内容物が接することが無いので、内容物が噴き出す恐れは無い。
【０００８】
しかし、蒸気抜き部から開封部に向かって蒸気が噴き出す恐れがあった。
また、蒸気の力だけでは、確実に開封部が開くことができない問題があった。
その上、蒸気抜き部が側部にあるような構造のパウチを用いた場合には、加熱時に内容物が蒸気抜き部に接してしまうおそれがあり、パウチの構造が特許文献２で示すような特殊な構造のパウチに限られてしまう問題があった。
【先行技術文献】
【特許文献】
【０００９】
【特許文献１】特許第４１８６７２６号公報
【特許文献２】特許第５０６２４０９号公報
【発明の概要】
【発明が解決しようとする課題】
【００１０】
そこで、電子レンジで加熱するパウチを入れた収納箱であって、電子レンジで加熱した時に内容物が飛び散らず安全に加熱調理が可能で、かつ、加熱によって確実に収納箱の開口部が自動的に開封することが出来る紙箱を提供することが本発明の課題である。
【課題を解決するための手段】
【００１１】
本発明は、電子レンジによって加熱調理可能で、一定以上に加熱されると内部圧力が上昇して付属する蒸気抜き部から蒸気が排出可能なレンジ用パウチを内部に収納し、大きな面積を有する上面板と底面板と、小さな面積の４側面板とからなる直方体形状を有する紙箱であって、
紙箱の３側面に渡って繋がった開口脆弱線を設けたことを特徴とするレンジ用パウチ収納箱である。
【発明の効果】
【００１２】
本発明のレンジ用パウチ収納箱は、自動的に開口部が開口するので、発生する蒸気で加熱された場合であっても火傷などの危険が無く、早く箱からパウチを取り出すことが出来る。また、内容物を噴出する場合であっても、発生した蒸気の噴き出しを抑えるように、箱が開き過ぎない状態で箱が保持しているので、安全に電子レンジで加熱調理が可能である。
【図面の簡単な説明】
【００１３】
【図１】本発明のレンジ用パウチ収納箱の第１の例で、未加熱における収納状態と、開口部が開封した状態における上面側から見た斜視図である。
【図２】本発明のレンジ用パウチ収納箱の第２の例で、未加熱における収納状態と、枕板部を剥離し、差込み部を差込み孔に挿入して枕部を立てた状態とにおける底面側から見た斜視図である。
【図３】本発明のレンジ用パウチ収納箱の第１の例で、収納箱の展開図である。
【図４】本発明のレンジ用パウチ収納箱の第２の例で、収納箱の展開図である。
【図５】本発明のレンジ用パウチ収納箱の第２の例で、未加熱における収納状態と、枕板部を剥離し、差込み部を差込み孔に挿入して枕部を立てた状態とにおける断面図である。
【図６】本発明のレンジ用パウチ収納箱の第２の例で、電子レンジでの加熱状態における断面図と、電子レンジ加熱が終了してパウチを取り出す状態における斜視図である。
【図７】本発明のレンジ用パウチ収納箱に入れるレンジ用パウチの例である。
【図８】従来のレンジ用パウチ収納箱の例で、その収納箱の展開図である。
【図９】従来のレンジ用パウチ収納箱の例で、未加熱における収納状態と、箱の上部を開口して折り返して立てた状態とにおける断面図である。
【発明を実施するための形態】
【００１４】
以下、本発明のレンジ用パウチ収納箱の実施形態例について、図を用いて詳細に説明する。
図１は本発明のレンジ用パウチ収納箱の第１の例で、図１−１は、未加熱における収納状態の上面側から見た斜視図である。
レンジ用パウチ収納箱１は、上面板１１と底面板１２の面積が大きく、４つの側面板１３の面積が小さい、扁平の直方体形状である。
紙箱の側面板１３には、左側面板１３１から正側面板１３３、右側面板に渡って連結した開口脆弱線２１が繋がった形で設けられている。この開口脆弱線２１は、側面板１３の高さの略中央に走っている。そして、左側面板１３１、右側面板の開口脆弱線２１端部には、上面板に向かって、傾斜した開口罫線２２が設けられている。
【００１５】
なお、開口脆弱線２１は、ミシン目のように、破線形状に一定のピッチで切断刃が途切れ途切れではあるが切断した形状になっていて、容易に破断可能な形状に飛び飛びに連続して、全体で線状となった加工形状とする。そしてその切断刃で切られた線状の刃跡は、線分だけの場合や、傾いた線の場合、コの字形状の場合、円弧を交互に向かい合わせた形状の場合、クレシェンド形状の場合、などが考えられる。また、刃物で加工しても良いし、レーザー加工などで加工したものであってもかまわない。
【００１６】
図１−２は、開口脆弱線２１が破断して開封し、開口上面板１１１が持ち上がった状態の上面側から見た斜視図である。
傾斜した開口罫線２２が切れてはいないので、開口脆弱線２１の開口部２は大きくは開かないが、開口脆弱線２１は、側面板１３の高さの略中央に走っているので、上面板側も、底面板側も、一定の腰が保持できるようになっていて、めくり上がらないようになっている。
また、傾斜した開口罫線２２があることによって、開口上面板１１１に直結した側面板周囲が変形し易く、開口することが出来るようになっている。
【００１７】
図２−１は、本発明のレンジ用パウチ収納箱の第２の例で、未加熱における収納状態における底面側から見た斜視図である。
この第２の例は、中に収納するパウチが、電子レンジ加熱され、内容物が内部で沸騰する時に、蒸気抜きする必要があるが、その蒸気抜き方向が上面側になっていないものに対し、枕部３５を立てて、蒸気抜きの部分を傾けて高くし、内容物の蒸気のみがパウチから抜けるようにするレンジ用パウチ収納箱の例である。
【００１８】
枕部３５となる枕板部３は、上面板１１端部から罫線３０を介して、底面板１２側に伸びる帯状の形状を有している。
さらに、枕板部３先端に差込み部３３が連結している。
その上、枕板部３の中央には枕罫線３４があって、枕板部３を２分し、元枕板部３１と先枕板部３２を形成している。
【００１９】
なお、先枕板部３２と差込み部３３との間には、罫線は設けていない。
枕部３５を立てる為に、底面板１２に易接着していた枕板部３を剥離すると見えるが、図２−１のように、枕部３５を立てていない状態では、先枕板部３２と底面板１２との間に塗布された剥離可能な易剥離性接着部１２２が、枕板部３を底面板外表面に保持している。
【００２０】
図２−１の状態から、図２−２のように、枕板部３を立てる場合には、まず、レンジ用パウチ収納箱を裏返して、易剥離性接着部１２２から先枕板部３２を底面板１２から剥がす。
枕板部３を底面板１２から剥がすと見えるようになるが、底面板１２の正側面板側端部から枕板部３の長さに満たない位置に、差込み受け孔１２１が設けられている。
この差込み受け孔１２１に、枕板部３先端の差込み部３３を差し込み、枕板部３を枕罫線３４で内側に折り曲げながら枕部３５を立てる。
【００２１】
図３は、本発明のレンジ用パウチ収納箱１の第１の例における展開図である。
紙箱の左側面板１３１、正側面板１３３、右側面板１３２の３側面に渡って繋がった開口脆弱線２１が設けられている。
しかも、開口脆弱線２１は、それら側面板１３の高さの略中央に位置している。
開口脆弱線２１が側面板１３の高さの上面板１１側に偏って設けられていたり、底面板１２側に偏って設けられていると、偏った方の板が変形してめくり上がってしまい、パウチがレンジ用パウチ収納箱１から飛び出したり、電子レンジからレンジ用パウチ収納箱１を取り出し難くなる問題がある。
【００２２】
さらに、開口脆弱線が開始する端部を有する左側面板１３１と右側面板１３２において、それらの向かい合う左側面板１３１、右側面板１３２における開口脆弱線２１の長さは、略同じ長さに設定され、その開口脆弱線２１長さは、側面板高さにもよるが、左側面板１３１長さや右側面板１３２長さの４０パーセントから８０パーセントの長さにする。
【００２３】
この開口脆弱線２１長さは、左側面板長さや右側面板長さの４０パーセント以下であると開口変形し難く、一部が破断するだけで、良好な開口が出来ないおそれがある。また、開口脆弱線２１ではない部分にまで亀裂が入って、水蒸気が上面板１１や底面板１２の方にまで噴き出し、電子レンジから収納箱を取り出し難くなったりする恐れがある。
さらに、左側面板長さや右側面板長さの８０パーセント以上であると、裏側面板１３４寄りの非開口脆弱線部分にも亀裂が入って、大きく開口してしまい、パウチがレンジ用パウチ収納箱から出てきてしまったり、蒸気が所かまわず噴き出す恐れがある。
【００２４】
左側面板１３１と左側面板のりしろ１３１０、右側面板１３２と右側面板のりしろ１３２０は、図３の展開図では各々、開口脆弱線２１、のりしろ開口脆弱線２１０が設けられ、それぞれが破断させる方式になっている。
【００２５】
図４は、本発明のレンジ用パウチ収納箱１の第２の例における展開図である。
図３と違う所は、枕部が立てられるようになっている点である。
裏側面板１３４下端に、罫線３０を介して帯状の枕板部３が連結し、さらに、枕板部他端に差込み部３３が連結している。
そして、枕板部３は、裏側面板１３４下端に繋がる罫線３０に略平行した罫線３４があって、元枕板部３１と先枕板部３２に分かれている。
【００２６】
底面板１２の裏側面のりしろ１３４０側端面から、枕板部３の長さに満たない位置に、差込み受け孔１２１が設けられている。差込み受け孔１２１は、単に切り込みで作られ、そこに差込み部３３が挿入されるが、抜け難くする為、差込み部３３の厚みよりも狭い幅のスリットか、幅の無い単なる切り込みでもかまわない。
差込み受け孔１２１の下側には、接着部１２２が設けられ、先枕板部３２の内面が再剥離可能な易接着されるようになっている。
【００２７】
図５は、本発明のレンジ用パウチ収納箱の第２の例の断面図で、図５−１は、未加熱における収納状態である。
第２の例では、図７のパウチの図７−１のようなレンジ用パウチ４の蒸気抜き部４１が側面にある場合の収納箱で、枕板部３のある裏側面板１３４側になるよう、レンジ用パウチ収納箱１に収納されている。
【００２８】
使用されるレンジ用パウチ４は、表裏が軟質のフィルムで、周囲をシールされた袋状のパウチで、高圧力、高温であっても、破損しにくい丈夫なフィルムで構成されている。
レンジ用パウチ４には蒸気抜き部４１があり、内部圧力が一定以上に大きくなった場合、内部の蒸気を逃がすようになっている。
【００２９】
図７に本発明で使用するレンジ用パウチの例を示した。パウチの蒸気抜き部４１は、図７−１や図７−３で示すようなシール部が周囲の融着部よりも内側に突出してあって、そこが内部圧力により周囲よりも先に剥離して開口するものや、図７−２のように、穴があり、その周囲の融着部が、内部圧力で先に剥離するもの、図７−４のように、切り口周囲に外周のシール部４０より低い融着強度のフィルムを融着しているものなど、どのようなものでもかまわない。
第１の例に用いるパウチは、図７−２、図７−３、図７−４の形状で、表裏一方の面に蒸気抜き４１が設けられたパウチを収納し、蒸気抜き部４１のある面を上面になるように収納して、使用される。
なお、図７−１、図７−２は３方シールで作られたパウチで、下辺は折り曲げられているので、底シール部はないもので、図７−２、図７−４は４方シールで作られたパウチの例である。
【００３０】
図５−２は、レンジ用パウチ収納箱の第２の例で、電子レンジ加熱する直前における未加熱状態におけるレンジ用パウチ収納箱の断面図である。
差込み部３３を差込み受け孔１２１に差し込み、枕部３５を立てている。枕部３５を立てることによって、レンジ用パウチ４の裏側面板１３４側である蒸気抜き部４１が持ち上がり、内容物５の液面が蒸気抜き部に接しない位置まで下方に移動している。
これによって、内容物が沸騰しても、内容物の汁などが直接外に噴出すことが無いようにしている。
【００３１】
図６は、本発明のレンジ用パウチ収納箱の第２の例で、図６−１は、電子レンジで加熱している状態における断面図である。
内容物５が沸騰し、レンジ用パウチ４の内部では水蒸気などが発生している。レンジ用パウチ４は、内部圧力が上昇するので、レンジ用パウチ４は膨らみ、収納箱を押し広げ、開口脆弱線２１が破断して開口し、開口上面板１１１が持ち上がる。
さらに、レンジ用パウチ４は一定の内部圧力が上昇すると、蒸気抜き部４１が開口し、蒸気抜き部４１から発生した蒸気が抜ける。レンジ用パウチ４の蒸気抜き部４１から抜けた蒸気は、破断して広がった開口脆弱線２１の間の開封部２から逃げる。
【００３２】
図６−２は、電子レンジ加熱が終了し、沸騰が収まり、蒸気抜きが終了した後、開封部２を大きく開けて、レンジ用パウチ４を取り出している状態を示した斜視図である。
蒸気抜き部４１は、開口部から離れた向きに入れてある。それでも、レンジ用パウチの取出し時には、蒸気抜き部４１から内容物が漏れる恐れがあるので、できるだけ上を向けて取り出す。
【００３３】
本発明に用いられるレンジ用パウチは、通常のレトルト用パウチと同じ構成のフィルムを使用できる。
例えば、外層から、ポリアミド／無水マレイン酸変性ポリエチレン／ポリアミド／ポリエチレン・酢酸ビニル共重合体鹸化物／無水マレイン酸変性ポリエチレン／ポリエチレン、ポリエチレン／ポリエチレンテレフタレート／アルミニウム箔／ポリエチレン／ポリアミド／ポリエチレン、
ポリプロピレン／酸化珪素蒸着ポリエチレンテレフタレートフィルム／ポリエチレン／ポリアミド／ポリエチレン、
酸化珪素蒸着ポリエチレンテレフタレートフィルム／ポリエチレン、
などの構成が考えられる。
酸化珪素蒸着ポリエチレンテレフタレートフィルムは香りや水分を逃がさない役目を担い、厚みは８〜２４マイクロメーターのポリエチレンテレフタレートフィルムに酸化珪素などの酸化物を蒸着している。
これらのフィルムは、通常のドライラミネート機、エクストルーダーラミネート機などで製造できる。
【００３４】
レンジ用パウチ収納箱に用いられる台紙は、内容物の重量によって異なるが、通常、コートボール紙、もしくはカード紙を使用し、紙の厚みである坪量は、２７０ｇ／ｍ２から３５０ｇ／ｍ２の範囲で使用可能である。また、紙の密度を０．６〜１．１ｇ／ｃｍ３の範囲にする。
内面あるいは内外面をポリエチレンなどでコートしたものでも良い。
【００３５】
ところで、枕板部３を仮固定する為の易剥離性接着部１２２に用いられる接着剤としては、酢酸ビニル・アクリル共重合タイプのエマルジョン系接着剤、例えば、サイデン化学株式会社製サイビノール（登録商標）ＤＢＡ１６４、スチレン・アクリル共重合体エマルジョン、例えば、サイデン化学株式会社製サイビノール（登録商標）Ｋ−１０５１、また、エチレン・酢酸ビニル共重合系接着剤や、低重合度水溶性樹脂と高重合度アクリル樹脂を混合した擬似接着性樹脂なども用いる事ができる。
さらに、易剥離性接着部１２２を再剥離しない通常の接着剤を塗工し、その周囲を半抜きにする方法でもかまわない。
【００３６】
ベタで塗工するのりしろ用の接着剤としては、酢酸ビニル・アクリル共重合タイプのエマルジョン系接着剤、例えば、サイデン化学株式会社製サイビノール（登録商標）ＤＢＡ１５５Ｌ，サイビノール（登録商標）ＤＢＡ１６４、日英化工株式会社製ライフボンド（登録商標）ＡＶ−６５０Ｙ４、ライフボンド（登録商標）ＡＶ−６５０Ｙ６などが使用できる。
【００３７】
本発明のレンジ用パウチ収納箱１は、一般的なカートニングマシンにセットすれば、容易に組立てが可能である。まず、スリーブを起こし、カレーなどの内容物が充填されたレンジ用パウチ４を装填し、側面板を折りこんで、適時ホットメルト接着剤を介在して、自動で組立てることができる。
【実施例】
【００３８】
以下に本発明の具体的実施例について説明する。
【００３９】
＜実施例１＞
レンジ用パウチは、外層として、酸化珪素を蒸着した厚み１２ミクロンメーターのポリエチレンテレフタレートフィルム。
グラビア印刷で設けられたインキ層。
中間層として、厚み１５ミクロンメーターのポリアミド樹脂層フィルム。
シーラント層として、６０ミクロンメーターの無延伸ポリプロピレンフィルム。
それらを、ポリウレタン系接着剤を介してドライラミネーション機によって貼り合せ、積層フィルムを作り、水１２０ｇを充填して、図７−４の形状にシールしてパウチを作成した。
レンジ用パウチ収納箱は、坪量が３２０ｇ／ｍ２のコートボール紙を使用した。
成形に用いるベタのりの材質は、酢酸ビニル・アクリル共重合タイプのエマルジョン系接着剤である日英化工株式会社製ライフボンド（登録商標）ＡＶ−６５０Ｙ４を使用。
易剥離接着部に用いる接着剤は、スチレン・アクリル共重合体エマルジョンであるサイデン化学株式会社製サイビノール（登録商標）Ｋ−１０５１を使用。
図３の展開図形状に抜いて、箱を組み立てて、レンジ用パウチを充填した。
【００４０】
＜比較例１＞
レンジ用パウチは、水充填した実施例１と同じレンジ用パウチを使用した。
レンジ用パウチ収納箱は、実施例１と同じく、坪量が３２０ｇ／ｍ２のコートボール紙を使用し、成形に用いるベタのりは、日英化工株式会社製ライフボンド（登録商標）ＡＶ−６５０Ｙ４を使用。
箱の形状は、図８の展開図形状に抜いて、箱を組み立てて、レンジ用パウチを充填した。そのレンジ用パウチを充填した断面図は、図９−１のように蒸気抜き部４１が開口部１１１側に来るようにした。
電子レンジで加熱する時には、図９−２の断面図で示すように、開口部１１２脆弱線を破断、右側面板の脆弱線１３３１や左側面板の脆弱線１３４１まで破断させる。さらに、正側面板１３１を含む上部を底面板に設けた罫線３９で１８０度折り曲げて開口し、上部を下側に枕部とさせて、レンジ用パウチの蒸気抜き部を上側に傾けて、加熱した。
【００４１】
＜比較例２＞
レンジ用パウチは、水充填した実施例１と同じレンジ用パウチを使用した。
レンジ用パウチ収納箱は、実施例１と同じく、坪量が３２０ｇ／ｍ２のコートボール紙を使用し、成形に用いるベタのりは、日英化工株式会社製ライフボンド（登録商標）ＡＶ−６５０Ｙ４を使用。
箱の形状は、図３の展開図形状に対し、枕板部３や差込み部３３がなく、枕部３５が立たないレンジ用パウチ収納箱として組み立てて、レンジ用パウチを充填した。
【００４２】
＜比較例３＞
レンジ用パウチは、水充填した実施例１と同じレンジ用パウチを使用した。
レンジ用パウチ収納箱は、特許文献２に記載された第１の実施の形態の第１の箱体を電子レンジ用箱入り包装体に用いられる箱体の形状で製造した。（切り込み線形状は形状１使用）
紙箱は、坪量が３２０ｇ／ｍ２のコートボール紙を使用し、成形に用いるベタのりは、日英化工株式会社製ライフボンド（登録商標）ＡＶ−６５０Ｙ４を使用。
レンジ用パウチ収納箱を組み立てて、レンジ用パウチを充填した。
【００４３】
＜評価試験内容＞
実施例と比較例について、下記の方法で試験し、比較評価した。
＜簡便性＞
一般主婦５人に３箱ずつ、計１５箱を渡し、電子レンジに入れる準備作業に掛かる時間を測定し、３秒間以内に出来た箱が１３箱以上を○、８箱以上１２箱までを△、７箱以下を×とした。
＜調理後の箱の熱さ＞
各々５箱ずつ、電子レンジの中に入れて、６００ワットで１００秒間加熱し、レンジ用パウチ内部を突沸させ、加熱終了後１０秒間以内に、レンジ用パウチ収納箱の周囲を表面温度計で測定し、６０℃以上の場所が一箇所でもあった場合は×、一箇所でもない場合○として確認した。
＜自動開封性＞
各々５箱ずつ、電子レンジの中に入れて、６００ワットで１００秒間加熱し、レンジ用パウチ内部を突沸させ、開口部が自動的に開封できるか確認した。
＜総合＞
簡便性と調理後の箱の熱さ、開封性の評価結果から、総合的に使用可能か、判断した。
【００４４】
＜評価結果＞
【００４５】
【表１】
2016130133.tif 000003
実施例１は、簡便性は３秒間以内に出来た箱が１５箱で○、調理後の箱は５箱共６０℃以上の場所が無く、自動開封性も５箱共良好で、総合評価は○であった。
比較例１は、簡便性易は３秒間以内に出来た箱が８箱で△、調理後の箱は５箱共開口部が８０℃以上で熱く、自動開封性は自動開封機能がなかったので評価せず、総合評価は△であった。
比較例２は、簡便性は評価せず、調理後の箱は５箱共開口脆弱部近傍が８０℃で熱く、開封性は自動開封機能がなかったので評価せず、総合評価は×であった。
比較例３は、簡便性は３秒間以内に出来た箱が１５箱で○、調理後の箱は５箱共開口部が７０℃で熱く、自動開封性は２箱が端部しか開封せず×、総合評価は△であった。
【００４６】
以上のように、本発明のレンジ用パウチ収納箱のように枕部を設けると、簡単で、早く、手間を書けずに電子レンジで突沸しないレンジ用収納箱を準備できた。
【００４７】
本発明のレンジ用パウチ収納箱１は、以上の様なもので、単純に、側面板に設けられた開口脆弱線が、パウチの膨らむ変形によって破断して開封し、開口が狭く、発生した蒸気を分散させて放出するので、収納箱の周囲も熱くならず、かつ、作業は、特に電子レンジに入れる時に上面か底面かの向きを確認するだけでいらないので、便利で、かつ、間違いが起きにくい。レンジ用パウチ収納箱の底面板側を下にして電子レンジで加熱するだけで、道具も要らず、迅速に調理ができ、加熱によって内容物が噴出すなどの問題も無い。
また、加熱直後の熱いパウチは紙箱に入っているが、蒸気が分散し易く熱くないので、火傷もしないで、電子レンジから取り出せるなど、メリットは大きい。
【符号の説明】
【００４８】
１・・・・・・・・・レンジ用パウチ収納箱
１１・・・・・・・・上面板
１１１・・・・・・・開口上面板
１１２・・・・・・・上面開口脆弱線（従来技術）
１２・・・・・・・・底面板
１２１・・・・・・・差込み受け孔
１２２・・・・・・・易剥離接着部
１２３・・・・・・・収納差込み受け孔
１３・・・・・・・・側面板
１３１・・・・・・・左側面板
１３１０・・・・・・左側面のりしろ
１３２・・・・・・・右側面板
１３２０・・・・・・右側面のりしろ
１３３・・・・・・・正側面板
１３４・・・・・・・裏側面板
１３４０・・・・・・裏側面のりしろ
２・・・・・・・・・開封部
２１・・・・・・・・開口脆弱線
２２・・・・・・・・開口罫線
３・・・・・・・・・枕板部
３０・・・・・・・・罫線（裏側面板と枕板部との繋ぎ）
３１・・・・・・・・元枕板部
３２・・・・・・・・先枕板部
３３・・・・・・・・差し込み部
３４・・・・・・・・枕罫線
３５・・・・・・・・枕部
３８・・・・・・・・押し込み部（従来技術）
３９・・・・・・・・底罫線（従来技術）
４・・・・・・・・・レンジ用パウチ
４０・・・・・・・・シール
４１・・・・・・・・蒸気抜き部
５・・・・・・・・・内容物
【図８】
2016130133.tif 000004
【図１】
2016130133.tif 000005
【図２】
2016130133.tif 000006
【図３】
2016130133.tif 000007
【図４】
2016130133.tif 000008
【図５】
2016130133.tif 000009
【図６】
2016130133.tif 000010
【図７】
2016130133.tif 000011
【図９】
2016130133.tif 000012